Podtech/llm-jp-corpus-v4-ja_patent huggingface dataset:
(57)【要約】【課題】従来の支柱は植物の背が高くなると、支柱から離れ落ちるという問題があった。これは、育成期間中の温室の湿度と使用中の店舗や事務所の湿度が著しく違う為に起きた問題である。【解決手段】支柱の断面形状を図のようにし、植物の根が支柱に沿って伸びるよう考えた。【選択図】図１
2007330239.tif 000002
【特許請求の範囲】
【請求項１】
つる性植物の根が溝に沿って伸び自分の体を支える特性を利用した、つる性植物の支柱。
【請求項２】
合成樹脂・プラスチック・アルミ・鉄・ステンレス・チタン等で制作できる事。
【発明の詳細な説明】
【技術分野】
【０００１】本発明はつる性植物の支柱に関する。
【背景技術】
【０００２】従来の支柱は有機物（木・ヘゴ材）を使用したものがある。（特許文献１参照）
【特許文献１】実開  昭６１−６６４５４
【特許文献２】特開  ２００５−１８５１２７
【発明の開示】
【発明が解決しようとする課題】
【０００３】現在のつる性植物の支柱はヘゴ材を固めたもので、乾燥した場所や風とうしの良い場所に置くと、植物の根が支柱から離れみっともない。
【課題を解決するための手段】
【０００４】根が支柱に食込む性質を利用するのではなく、根が溝にそって伸び体を支える方法を考えた。
【発明の効果】
【０００５】支柱の材料が自由に選べ、長さ、形状も今までとは比較できない程多様なデザインが出来る。
【発明を実施するための最良の形態】
【０００６】アトリウム等の室内空間や、事務所内、温暖地域の屋外庭園での利用
【実施例】
【０００７】自宅で育てている。
【産業上の利用可能性】
【０００８】最近店舗や事務所でつる性植物が置いてあるが、デザイン性が飛躍的に伸びる。
【図面の簡単な説明】
【０００９】
【図１】スタンダードタイプの平面図・立面図・断面図
【図２】ビッグタイプの平面図・立面図・断面図
【図３】色々な断面のバリエーション図
【符号の説明】
【００１０】（１）支柱心
（２）支柱リブ
（３）底板
（４）底板止めビス
（５）支柱心
（６）支柱リブ
（７）底板
【図１】
2007330239.tif 000003
【図２】
2007330239.tif 000004
【図３】
2007330239.tif 000005
(57)【要約】【課題】水槽の水替えは、水を抜き取る際、重さゆえにたいへん苦労します。ホースを水槽に入れて抜き取る時も、思い切り吸い込んで、誤って水を飲み込むことや、周辺に水をこぼすこともありたいへんです。  又、ホースだ、汚水を入れる容器だと準備するのも手間がかかるうえ、２本の手であれこれ持ち上げて作業していくのも、なかなか難儀なことです。  そこで、全てを一つにまとめ作業をスムーズにする、本発明品（水槽のゴミスウゾー）を提供する。【解決手段】ボトル容器（１）の下にビニールホース（２）を設け、（２）の先端に（３）のメッシュ付きキャップを取り付け、ボトル容器（１）の中部に持ち手（４）を設け、ボトル容器の上部に（５）の取り外し自由な吸引キャップを設けたことを特徴とする。【選択図】図１
2007330236.tif 000002
【特許請求の範囲】
【請求項１】
１．８リットル位のボトル容器（１）の下、３ｃｍ辺りに（２）のホースを取り付け、（２）のホースの先端に（３）のメッシュ付き取り外し自由キャップを付け、ボトル容器の中部に（４）の持ち部分を、ボトル容器（１）の上部に、（５）の取り外し吸引キャップを付けた、水槽の掃除機。
【発明の詳細な説明】
【発明の詳細な説明】
【技術分野】
【０００１】  この発明は、水の高低を利用し、持ち部分、吸引口、吸い取りホースを取り付けて、楽に水槽の掃除や、水替えをする手動式道具に関するものである。
【背景技術】
【０００２】  従来、水槽の掃除や水替え、ゴミ取り、フンの取り除き等は、容器を使い汲み取るか、ホースで吸い取るか、又は重い水槽を持ち上げて水を捨てなければならなかった。
【発明が解決しようとする課題】
【０００３】  従来、汚れた水を、容器で汲み取る又はホースで吸い取るときは、水を入れる容器を別に用意しなければならず、面倒である。
又、ホースで吸い取るとき等は、誤って水を飲んでしまうことがある。
重い水槽を持ち上げるのも重労働である。
【課題を解決するための手段】
【０００４】  ボトル容器（１）の下に（２）を付け、（２）の先端に（３）、（１）の中段に（４）の持ち部分を付け、上に（５）の吸い口を付ける。
本発明は、以上の構成よりなる水槽の掃除及び、簡単水取り替え具である。
【発明を実施するための最良の形態】
【０００５】  以下、本発明の実施の形態について説明する。
ボトル容器（１）の下から３ｃｍ位にビニールホース（２）を取り付ける。
ビニールホース（２）の先端に取り外し自由なキャップ（３）を付ける。
ボトル容器（１）の中部に持ちやすいように、持ち部分（４）を付ける。
ボトル容器（１）の上部に取り外し自由な吸引キャップ（５）を付ける。
本発明は、以上のような構造でこれを使用するときは、水の高低を考えボトル容器を片手に持ち、ビニールホースを水槽に入れ、吸引キャップを口にし、一気に息を吸い込む。（ボトルに水が入り始めたら、息を吸うのはやめて下さい。）
これで、楽に水槽の水をボトル容器に移すことが出来る。
又、この時、水槽の中に入れてあるビニールホースで、下にたまったゴミやフンを吸引させる。
ボトル容器に一定量の汚水が入ったら、ホースを上げ汚水を処理する。
【発明の効果】
【０００６】  ボトル容器に、ホースと吸引部を取り付ける事で、片手でボトルを持ちもう片方の手で水槽にたまったゴミやフンをホースにて、水と一緒に排水させれば、水槽の掃除を簡単にすることが出来る。
又、使用後吸引口は取り外して洗うことが出来るので衛生的である。
又、勢い良く吸い込みすぎて汚水を飲み込むことも無くなるし、簡単なので半分位排水し、新しい水を入れることで、従来の水槽洗いの回数を減らせます。
又、メッシュ付きキャップを取り外し自由にすることで、汚水排水の吸引力の調整や、小さな石の吸い込み過ぎの調整もできます。
【図面の簡単な説明】
【図１】本発明の分解斜視図である。
【図２】本発明の正面図である。
【符号の説明】
１  ボトル容器
２  ビニールホース
３  メッシュ付き取り外し自由なキャップ
４  持ち部分
５  取り外し自由な吸引キャップ
【図１】
2007330236.tif 000003
【図２】
2007330236.tif 000004
(57)【要約】【課題】  ゲーム性や食べ比べを楽しみながら食べることの出来る区分けを表示した寿司の大皿を提供する。【解決手段】  寿司の大皿の中心から放射線状に、任意に区分けを表示しその中心部に、回転体を置き、その回転体の外周の一部に、柔軟性のある材質の小さな突起物を設け、回転体を廻すことにより、区分けされた部分に置かれた寿司に、突起物が接触し、突起物が指したところの寿司を順番に食べることを特徴とした区分けを表示した寿司の大皿。【選択図】図１
2007330237.tif 000002
【特許請求の範囲】
【請求項１】
寿司の大皿の中心から、放射線状に任意に区分けを表示し、その中心部に回転体を設け、その回転体の外周の一部に、柔軟性のある材質の小さな突起物を設け、回転体を廻すことにより、区分けを表示した部分に置いた寿司に、突起物が接触し、突起物が指した方向の寿司を順番に食べることを特徴とした区分けを表示した寿司の大皿。
【発明の詳細な説明】
【技術分野】
【０００１】  本発明は、寿司の大皿の中心から、放射線状に任意に区分けを表示することで、ゲーム性や食べ比べを楽しみながら、寿司を食べることが出来るように工夫したもので、区分けを表示した寿司の大皿に関するものである。
【背景技術】
【０００２】  従来、寿司の大皿は何の意味もなく、単に盛り込まれているだけでした。
【発明の開示】
【発明が解決しようとする課題】
【０００３】  そのために、次のような問題点があった。
多人数で食べられる寿司の大皿が、ゲーム性や近似種の味比べができなかった。
たとえば、ボタンエビと甘エビといったようなものもなく、ただ単に個々人が好きな物を適当に食べるだけだった。
本発明は、これらの問題を解決するためになされたものである。
【課題を解決するための手段】
【０００４】  寿司の大皿の中心から放射線状に、任意に区分けを表示しその中心部に回転体を設ける。
その回転体の外周の一部に、柔軟性のある材質の小さな突起物を設ける。
回転体を廻すことにより、区分けを表示した部分に置かれた寿司に、突起物が接触し、突起物を指した方向の寿司を、順番に食べて行くという、区分けを表示した寿司の大皿である。
あるいは、寿司の大皿を、任意に区分けを表示し、寿司の大皿の外周上をまたいで、廻ることが出来る。
カスガイ状の可動物を設ける。
その内側に柔軟性のある小さな突起物を設ける。
それを廻すことにより、区分けを表示した部分に置かれた寿司に突起物が接触し、突起物を指した方向の寿司を、順番に食べられることを特徴とする。
以上のように構成された区分けを表示した寿司の大皿。
【発明の効果】
【０００５】  寿司の大皿の中心部の回転体を廻し、その区分けを表示した部分に、置いた寿司を回転体の一部の突起物が指すことにより、それを食べるというゲーム性や任意に、区分けされた場所におかれた近似種の寿司の食べ比べができる。
たとえば、ボタンエビと甘エビと、いうように話題性も備えている。
【発明を実施するための最良の形態】
【０００６】  以下、本発明の実施の形態を、説明する。
（イ）寿司の大皿に、放射状に任意に区分け線（１）を描く。
（ロ）大皿の中心部に回転体（２）を設置する。
（ハ）回転体（２）の外周の一部に柔軟性のある突起物（３）を設ける。
（ニ）区分け線（１）の内に回転体（２）を廻したとき、突起物（３）が軽く接触する位置に寿司（４）を置く。
本発明は、以上の構成よりなっている。
本発明を使用するときは、寿司の大皿の中心から放射線状に任意の数の区分け線（１）をひき、その中心部に手等で廻すことの出来る回転体（２）を設置し、その外周上の一部に柔軟性のある突起物（３）を設ける。
大皿の区分け線（１）の内に関連する味比べが出来る寿司（４）を２種類置く。
たとえば、ボタンエビと、甘エビである。
回転体（２）を廻し、区分け線（１）の内側に表示し、それぞれにおいた寿司（４）の一部に突起物（３）が軽く接触出来るような位置に、寿司（４）を配置し、その突起物（３）が指した所の寿司（４）を味比べしながら食べる。
次の人が、中心部の回転体（２）を廻すとき、１度食べられた区分け線（１）のところの寿司（４）はもうないので回転体（２）の突起物（３）は、他の区分け線（１）の寿司に止まり、又、それを食べ比べるというようにゲーム性をもって、食べて行くというものである。
【図面の簡単な説明】
【０００７】
【図１】本発明の斜視図
【図２】本発明の中心部分の斜視図
【図３】本発明の使用状態を示した斜視図
【図４】本発明の断面図
【符号の説明】
【０００８】    １  皿に描いた区分け線
２  回転体
３  突起物
４  寿司
【図１】
2007330237.tif 000003
【図２】
2007330237.tif 000004
【図３】
2007330237.tif 000005
【図４】
2007330237.tif 000006
(57)【要約】【課題】二度炊きしても煮くずれがなく、味しみがよく、離水が少なく、保水性がよく、そのままの状態でも調理後でも冷凍保存が出来、湯洗しなくても生食で食べられるこんにゃくの製造を可能にする。【解決手段】原料であるグルコマンナン又はこんにゃく粉に対し、でんぷんを１％から５０００％、くず粉、増粘多糖類、寒天、水酸化カルシウ厶を０．０１％から５０００％で混合する事により、通常のこんにゃく製造の過程、通常の乾燥くずきり・乾燥はるさめそして、フリーズドライこんにゃく、または乾燥こんにゃくの製造過程において利用し製造可能となり解決となる。【選択図】なし【特許請求の範囲】
【請求項１】
こんにゃく粉、グルコマンナン又はでん粉、くず粉、増粘多糖類、寒天、水酸化カルシウムが使用原料として混合したことを特徴とするサラダ用こんにゃく。
【請求項２】
原料であるグルコマンナン又はこんにゃく粉に対してのでん粉、くず粉、寒天、増粘多糖類の混合比率は、グルコマンナン又はこんにゃく粉１ｋｇに対し、使用原料の１％から５０００％であることを特徴とする特許請求の範囲１項に記載のサラダ用こんにゃく。
【請求項３】
原料であるグルコマンナン又はこんにゃく粉に対してのでん粉、くず粉、増粘多糖類、寒天、水酸化カルシウムの混合比率は０．０１％から５０００％である事を特徴とする特許請求の範囲１項に記載のサラダ用こんにゃく。
【請求項４】
通常の技術で一般のこんにゃく、しらたきなど全種類のこんにゃくを製造する過程において、特許請求の範囲２項、３項にある原料の混合比率で製造をする事を特徴とする特許請求の範囲１項に記載のこんにゃく。
【請求項５】
通常の技術で通常の乾燥くずきり、乾燥はるさめなど全種類の乾燥くずきり、乾燥はるさめを製造する過程、またフリーズドライや乾燥こんにゃくにおいて、特許請求の範囲２項、３項にある原料の混合比率で利用して、製造をする事を特徴とする特許請求の範囲１項に記載のサラダ用こんにゃく。
【発明の詳細な説明】
【技術分野】
【０００１】本発明は、保水性がよく、冷凍保存が出来、湯洗しなくてもそのまま食べる事が出来るサラダ用こんにゃくを生産するための技術に関する発明である。
【背景技術】
【０００２】従来のこんにゃくは、煮物・鍋物などに広く使用され、製造方法はこんにゃく粉に水酸化カルシウム水溶液を混合し練り合わせ加熱したものであるが、こんにゃく独特のアルカリ臭がして、サラダ用や生食に使用するためには湯洗が必要であり、ドレッシングやマヨネーズ等で調理した後、こんにゃくより水分が出て味が薄くなり、生食には適さない食品であり、冷凍保存も出来ないでいた。
【発明の開示】
【発明が解決しようとする課題】
【０００３】そこで、従来のこんにゃくの欠点である湯洗をしなくてもそのまま食べられる、水分が出にくく保水性があり味付けが簡単に出来、しかも冷凍保存が出来るこんにゃくが、消費者より要望が広くあり、長年の研究課題であった。
【課題を解決するための手段】
【０００４】そこで、本発明はこんにゃくの主原料であるこんにゃく粉にグルコマンナン又はでん粉、くず粉、増粘多糖類、寒天、水酸化カルシウムを混合する事により、この問題を解決する事とした。混合率・製造方法に関しては、特許請求項の１項，２項，３項，４項，５項に表示している通りである。
【発明の効果】
【０００５】従来のこんにゃくは、煮物・鍋物にはよいが生食用には適性が良くなく、保水性が悪く味付けがしにくく湯洗しないと生食では食べずらい商品でした。この発明により、そのままでも食べられる生食用になり、マヨネーズ、ドレッシング、めんつゆ、黒蜜などでも食べる事が出来使用用途が広がります。また、乾燥くずきり、はるさめの製造やフリーズドライこんにゃく、乾燥こんにゃくの製造にも幅広く利用が出来ます。
【発明を実施するための最良の形態・実施例】
【０００６】本発明の製造は、いわゆる通常の技術で製造するこんにゃくメーカーの現状の設備で生産が可能になり、また、通常の技術で製造する乾燥くずきり、はるさめのメーカーでも生産が可能になります。また、フリーズドライこんにゃく、乾燥こんにゃくの製造にも利用出来ます。
【産業上の利用可能性】
【０００７】従来のこんにゃく生産は、いわゆる生食用に対応出来るこんにゃくの生産は出来ませんでした。この発明により、こんにゃくメーカーも通常の技術で生食用のこんにゃくを生産出来る事となり、未利用設備を使用する事により新しい産業の発展につながります。また、従来のくずきり、はるさめ専門メーカーもこの発明を利用する事により、従来のくずきりやはるさめの欠点であった二度炊きすると煮くずれがする、冷凍保存すると煮くずれがするなどの欠点が無くなり、くずきりやはるさめの消費拡大につながるものと言えます。また、乾燥くずきりや乾燥はるさめは生食で食べられませんが、この発明により生食で食べられるようになり、この技術を使用する事によりくずきりやはるさめの生産も出来る事となり、またフリーズドライや乾燥こんにゃくの生産にも利用が出来、新しい産業が生まれるものと考えます。
(57)【要約】【課題】従来のビニール栽培袋での菌床きのこ栽培方法は、袋内に発生した不要なきのこ及び腐ったきのこの除去が容易に出来なかった。そして、害虫の発生する要因となることと、その害虫の除去が難しかった。又、従来のビニール栽培袋での菌床きのこ栽培方法は菌床への給水作業は１個１個個別に行うため作業時間が掛かることと、水道水のムダが発生する問題点があった。【解決手段】ビニール栽培袋に替え排水出口付深型栽培容器を使用し菌床をいれる、不要なきのこ及び腐ったきのこと害虫の処理時には菌床を容器から取り出し処理を行う。（ビニール培養袋は菌床を取り出すことが出来ず簡単に処理できない）又、給水作業は最上段の菌床の上から行い本発明の容器の排水出口まで一杯になり溢れた水が直下段の菌床の上に注がれて上記の工程を繰り返して最下段まで到達したところで給水作業を終了する。これにより給水作業はほぼ無人で出来る。【選択図】図５
2007330243.tif 000002
【特許請求の範囲】
【請求項１】
排水出口付深型栽培容器による菌床きのこの栽培方法。
【請求項２】
請求項１に記載した排水出口を有した深型栽培容器。
【発明の詳細な説明】
【技術分野】
【０００１】本発明は、菌床しいたけの栽培方法及び容器に関する。
【背景技術】
【０００２】従来のビニール袋に替わる栽培方法及び容器に関する特許が出願されている。
【特許文献１】特願２００４−１６５３３（Ｐ２００４−１６５３３）給水及び保水方法に関する特許が出願されている。【特許文献２】特願平７−２９９１３１
【特許文献３】特願２００２−２５８３４３（Ｐ２００２−２５８３４３）
【発明の開示】
【発明が解決しようとする課題】
【０００３】従来の菌床きのこの栽培方法は、ビニール栽培袋で行う方式をとっているため袋内に発生した不要なきのこ及び腐ったきのこの除去が容易に出来ず害虫の発生する要因と、害虫の発生時には完全なる除去が難しかった。【０００４】従来のビニール栽培袋で行う菌床きのこ栽培方法は菌床への給水作業は１個１個個別に行うため作業時間が掛かることと、水道水のムダが発生する問題点があった。
【課題を解決するための手段】
【０００５】ビニール栽培袋に替え排水出口付深型栽培容器を使用しその中に菌床をいれ、不要なきのこ、腐ったきのこ及び害虫の処理時には菌床を容器から取り出して処理を行う。
【発明の効果】
【０００６】給水作業の効率向上のため正面に排水出口を設けた栽培容器に、菌床を入れて発生ハウスの棚に直上段と直下段で排水出口から溢れた水を受けられる様に下に並べる、上段の菌床の上から給水を行うと排水出口より水が溢れて直下段の菌床で水を受けて容器の排水出口まで満杯になると、排水出口から直下段の菌床へ流れ容器に水が入る、これを最下段まで繰り返す。
従って、棚の最上段へ給水及び保水を行うことにより最下段まで給水が出来る。
最上段への給水及び保水は各菌床へ給水管及び保水管で行い最下段が満水になったら終了とする。【０００７】上述したように、不要なきのこ及び腐ったきのこの処理が簡単に行えることと発生した害虫処理も速やかに行え、良質のきのこの栽培が低コストで出来る。【０００８】容器の形状に工夫を凝らした本発明により、菌床の乾燥防止（加湿）を目的とした給水作業が１個１個個別給水でなく全菌床に同時に行え給水作業の効率向上と無人で作業が可能となった事で、労務費及び水道水のムダ防止等コスト面で大幅な低減が期待できる。
【発明を実施するための最良の形態】
【０００９】以下、本発明の実施の形態を図１〜図５に基づいて説明する。【００１０】図１〜図４において容器の構造を説明する。
容器の強度を保持するため容器上面に鍔部１を有し、前面側上部に排水出口部３を設けた深型の箱状の容器である。【００１１】図５において使用方法を説明する。
図５に示すように、給水管６から出た給水７が最上段の菌床５の上に注がれ、排水出口付深型培養容器４の排水出口３まで水位が上がると排水出口から溢れて直下段の菌床の上に注がれる。
容器４の排水出口まで水位が上がると排水出口から溢れて直下段の菌床の上に注がれる。
上記の水の流れを繰り返して、最下段の排水出口付深型培養容器が満杯になったら給水及び保水を停止する。
これにより従来作業者が個別におこなっていた、給水及び保水作業が無人で行える。
【図面の簡単な説明】
【００１２】
【図１】本発明に関わる容器の平面図
【図２】本発明に関わる容器の正面図
【図３】本発明に関わる容器の側面図
【図４】本発明に関わる容器の斜視図
【図５】本発明に関わる容器の使用状態図
【符号の説明】
【００１３】      １      容器上面鍔部
２      容器底部
３      排水出口部
４      排水出口付深型培養容器
５      菌床
６      給水管
７      給水の水の流れ
８      パイプ棚
【図１】
2007330243.tif 000003
【図２】
2007330243.tif 000004
【図３】
2007330243.tif 000005
【図４】
2007330243.tif 000006
【図５】
2007330243.tif 000007
(57)【要約】【課題】猿などの野性の動物が果樹園を荒らし、多大の被害を受けている現状を、捕獲殺傷することなく、費用を最小限に押さえて被害を防ぐ方法を提供する。【解決手段】果樹の幹を中にして金属又は樹脂製の薄い板を丸めて止め、円筒型又は上部をカットした円錐型にしたものを釣り下げるか挟み込み、猿などがその場所以上登れないようにして解決。【選択図】図１
2007330241.tif 000002
【特許請求の範囲】
【請求項１】
板状の樹脂や金属を、樹木の太さより太い円筒状に巻き、その接部を固定し、その上部に複数個の釣り下げ用の紐状固形物を取り付けた樹木用動物登攀阻止具
【請求項２】
接部の固定を上部のみにして下部の一部が開いた円筒である請求項１の樹木用動物登攀阻止具
【請求項３】
円筒状の樹脂、金属の周囲に先の尖った出っ張りを複数個設けた請求項１の樹木用動物登攀阻止具
【請求項４】
筒の上部に、挟み込んで吊り下げたり樹木の出っ張りに引っ掛けて吊り下げるための紐状の固形物を複数個設けた請求工項１の樹木用動物登攀阻止具
【発明の詳細な説明】
【技術分野】
【０００１】  本発明は猿など動物が樹木に登り、果樹などを食い荒らすのを防止するための樹木登攀阻止具に関するものである。
【背景技術】
【０００２】  最近、野生動物が人家付近にまで出没し、樹木や田畑を頻繁に荒らすようになり、その対策がいろいろと講じられているが、対処方法も野生動物保護の観点からも見る必要があり、各種の対策方法も取られているがこれもその一つである。
【特許文献】特開２００２−３３０６９１
【実用新案文献】
昭６０−４１１７８
【実用新案文献】
昭５７−１８００５２
【特許文献】開２０００−３００１４７
【特許文献】開平８−３０８４６２
【特許文献】開２００１−３０９５３２
【実用新案文献】
開平５−２３１０４４
【発明の開示】
【発明が解決しようとする課題】
【０００３】  とりあえず解決したい問題として猿による桃の被害がある。統計的に見てもその被害はかなりのものがあり、費用を掛けずにより効果がある方法を考えた。本発明はこれを解決しようとするものである。
【課題を解決するための手段】
【０００４】  勿論猿などの個体数を減らすことや、人家付近に侵入してこない工夫が根本解決ではあるが、現実問題として猿などが実っている果実を狙い、被害を受けているという事実がある。これは実っている果樹に猿などが登れない阻止具を設ければある程度の被害は防げるし、更に懲りさせることが出来れば尚効果があるのではないかと考えた。【０００５】  樹木に１本１本取り付けるとなると幾ら効果的でも費用が掛かるのは考え物である。そこで有刺鉄線を巻きつける方法を考えたが、ある程度の効果は期待できたが樹木が生長するにつれ針金が樹木に食い込んだり収穫時に危険だったりして受け入れられる登攀防止策ではないことが解った。
【発明の効果】
【０００６】  本発明は安価な樹脂または金属製の表面が滑り易い板を使い、筒または先をカットした円錐状にしたもので樹木の周囲の一部を囲み、それを紐又はチェーンで吊り下げる、又は樹木を挟み込むだけなので非常に簡単に作成設置が可能になり、多少の強度が犠牲になるにせよ、合わさる部分の上部のみ接合すれば更に簡単な作成で完成する。この考案の特徴は片方に寄り樹木に接してしまっても表面が滑り易くなっているのでそれ以上登ることが出来ない。更にそれでも効果が少ない場合は板の周囲に尖った部分を設けることにより、より効果が期待できる。
【発明を実施するための最良の形態】
【０００７】  樹木の太さや形状に合わせて、樹木の太さより大きく囲むことができる程度の金属またはプラスチック板を、下の広がった筒状になるように丸め、上部の合わせ目を固定する。その上部数ヶ所に穴を開け、紐やチェーンなどの吊り下げ具を取り付ける。状況や樹木の形状により枝に引っ掛けて固定したり、樹木に巻いた針金や紐などから吊るす。場合によっては樹木を挟み込んで固定する。【０００８】  それでも効果が薄い場合は板の周囲にぎざぎざの尖った部分を設ける。板を図５のように型抜き加工すれば無駄がない。
図６、図７、図８のように予め合わせて固定する個所をＵ字形に加工しておいて、組み合わせて固定しても良い。
【図面の簡単な説明】
【００９】
【図１】当発明を樹木に取り付けた図
【図２】組み立てた一例の斜視図
【図３】尖った部分がある板で組み立てた一例の斜視図
【図４】挟み込んで止める構造の一例の上面図
【図５】板に無駄なく尖った部分を作る切り抜き型の一例図
【図６】別の形状にカットした素材
【図７】折り加工したものを組み合わせて、場合によっては圧着して固定する説明図
【図８】その上面図
【符号の説明】
【００１０】１  樹木
２  本体
３  合わせたところを止めて固定する
４  吊り下げ用紐
５  先が尖った部分
６  挟み込む、又は樹の出っ張りに引っ掛けるための紐
７  ２枚を使って作る場合の本体図
８  折り合わせて止めるところ
【図１】
2007330241.tif 000003
【図２】
2007330241.tif 000004
【図３】
2007330241.tif 000005
【図４】
2007330241.tif 000006
【図５】
2007330241.tif 000007
【図６】
2007330241.tif 000008
【図７】
2007330241.tif 000009
【図８】
2007330241.tif 000010
(57)【要約】【課題】わかめの葉の中心部にある円柱状の主脈である茎、いわゆる茎わかめはほとんどの場合使用されずに捨てられている。茎わかめやわかめそのものを用いた新しい食品を開発し、栄養豊富なわかめを無駄なく消費できるように茎わかめの市場拡大を図る。【解決手段】老若男女を問わず広く浸透しているカレーの具として使用することで消費量を上げると共に消費者・生産者の茎わかめの認知度も上がるため他の食品への応用やまったく新しい食べ方などが考えられるようになる。【選択図】図１
2007330242.tif 000002
【特許請求の範囲】
【請求項１】
わかめ・茎わかめを具として有することを特徴とするカレー。
【請求項２】
肉・野菜・魚介類を具として有するカレーにわかめ・茎わかめを具として追加したことを特徴とするカレー。
【請求項３】
わかめ・茎わかめを具として有することを特徴とするカレー食品。
【発明の詳細な説明】
【技術分野】
【０００１】  この発明はカレーの具に関するものである。
【発明の開示】
【発明が解決しようとする課題】
【０００２】  わかめの葉の中心部にある円柱状の主脈である茎、いわゆる茎わかめは硬くて食べにくくお年寄りや子供には不向きである上、収穫しても利用価値がほとんどないため漁師など生産者もこの部分は捨てている状況である。葉の部位と同等の栄養素を持つ茎わかめの新しい食べ方を提案し、わかめを無駄なく使用して市場拡大を図る事を課題とする。
【課題を解決するための手段】
【０００３】  以上の課題を解決するために、１１０〜１２０℃の高温スチームで蒸すことで、第一発明は茎わかめ又はわかめそのものを具としたことを特徴とするカレーである。また、第二発明は肉・野菜・魚介類を具として有するカレーにわかめ・茎わかめを具として追加したことを特徴とするカレーである。第三発明はわかめ・茎わかめを具として有することを特徴とするカレー食品である。
【発明の効果】
【０００４】カレーの具として使用することで茎わかめの消費量が上がり、また同時に消費者の茎わかめに対する認知度も上がるため他の食品への応用やさらに新しい食べ方などが考えられるようになり、今まで捨てていた漁師など生産者の利益にもつながることで生産意欲が高まり市場が活発化し拡大する。
【発明を実施するための最良の形態】
【０００５】この発明の一実施形態を図１に示す。図１は一般的なカレーライスであり、茎わかめ３がカレールー２と共にライス１にかけている
【図面の簡単な説明】
【０００６】
【図１】この発明の一実施形態を示す図
【符号の説明】
【０００７】  １  茎わかめ        ２  カレールー
３  ライス
【図１】
2007330242.tif 000003
(57)【要約】【課題】  この発明は、自然の雨水及び散水の大切な水を無駄にしないことから考案されたもので、しかも日照り時期などの底からの水抜けと表面からの乾燥に土中の水分の蒸発が加わり、散水が間に合わない状況になり、植物にダメージを与えることがしばしばであったが、この植物に対する環境にやさしく、保水層の水の蒸発により土中に湿気をもたらし、更に網目皿から白根が保水層の水を吸収して、間に合わない次の散水までを凌ぐことができる、植物にとって、最適な環境造りを提供するものである。【解決手段】  底穴をなくした植木鉢の底▲４▼から適当な内側上部位置に中敷網目皿受け棚（突起）▲２▼を設けて、その▲２▼の上に中敷網目皿▲５▼をのせた。  更にそのすぐ上の位置で、鉢の外周に抜ける通気排水穴▲１▼を等間隔に数箇所設けて、中敷網目皿▲５▼と鉢底▲４▼の間に保水層▲３▼を設けたことを特徴とする。【選択図】図１
2007330244.tif 000002
【特許請求の範囲】
【請求項１】
底穴をなくした植木鉢の底▲４▼から適当な内側上部位置に中敷網目皿受け棚（突起）▲２▼を設けて、その▲２▼の上に中敷網目皿▲５▼をのせて、更にそのすぐ上の位置に、鉢の外周に抜ける通気排水穴▲１▼を等間隔に数箇所設けて、中敷網目皿▲５▼と鉢底▲４▼の間に保水層▲３▼を設けた、底（穴）なし植木鉢（ポット）。
【発明の詳細な説明】
【技術分野】
【０００１】  この発明は、鉢底に保水層を設け、保水層上部に通気排水穴を設けた植木鉢である。
【背景技術】
【０００２】  従来、底に穴をあけた植木鉢はあった。
【発明の開示】
【発明が解決しようとする課題】
【０００３】  これには次のような欠点があった。
（イ）底に穴があいているので、鉢内にしみ込んだ余分の水や肥料分は、全部外に勿体なく排出されていた。
（ロ）日照り時には、表面の乾燥は勿論、内部土中の水分も蒸発サイホン現象により、たちまち植物と共に干からびて、散水も手遅れとなることは、しばしばあった。
本発明は、これらの欠点を除く目的と、貴重な水を少しでも大切に活用する事から、なされたものである。
【課題を解決するための手段】
【０００４】  底穴をなくした植木鉢の底▲４▼から適当な内側上部位置に中敷網目皿受け棚（突起）▲２▼を設けて、その▲２▼の上に中敷網目皿▲５▼をのせた。
更にそのすぐ上の位置で、鉢の外周に抜ける通気排水穴▲１▼を等間隔に数箇所設けて、中敷網目皿▲５▼と鉢底▲４▼の間に保水層▲３▼を設けた。
本発明は、以上のような構成よりなる、底（穴）なし植木鉢（ポット）である。
【発明の効果】
【０００５】  発明は以上のような構造で、これを使用するときは、従来の鉢植えどおりに網目皿の上に荒目土を入れて、後は植物に最適な土を順次入れて植え込んで行く。
なおその際合成樹脂製網目板を鉢の内側に筒状に折り曲げて、植え込んでゆけば将来、鉢植え替えの際、植物をいためず抜き出すことが可能である。
【発明を実施するための最良の形態】
【０００６】  以下、本案の実施の形態について説明する。
（イ）底穴をなくした植木鉢の底▲４▼から適当な、内側上部位置に中敷網目皿受け棚（突起）▲２▼を設ける。
（ロ）その▲２▼の上に中敷網目皿▲５▼をのせる。
（ハ）（ロ）のすぐ上の位置に、鉢の外周に抜ける通気排水穴▲１▼を等間隔に数箇所設ける。
（ニ）中敷網目皿▲５▼と植木鉢の底▲４▼の間に保水層を設けることができる。
本案を使用するときは、最初に中敷網目皿▲５▼を敷くことから始まるだけで後は全く一般の鉢植えと変わりなく行なえることである。
【図面の簡単な説明】
【０００７】
【図１】  本発明の完成全体透視斜視略図である。
【図２】  本発明の中敷網目皿平面図である。
【図３】  本発明の斜め上部からの全体写真である。
【図４】  本発明の底部斜めから見た全体写真である。
【図５】  本発明の中敷網目皿をはめる前の斜め上部からの全体写真である。
【符号の説明】
【０００８】  ▲１▼・は通気排水穴。
▲２▼・は中敷網目皿受け棚（突起）。
▲３▼・は保水層。
▲４▼・は鉢底。
▲５▼・は中敷網目皿。
【図１】
2007330244.tif 000003
【図２】
2007330244.tif 000004
【図３】
2007330244.tif 000005
【図４】
2007330244.tif 000006
【図５】
2007330244.tif 000007
(57)【要約】【課題】  室内や戸外でのペットのマーキング行為及び、介護時の尿の処理のためのペット用紙おむつとおむつ用サスペンダーを提供する。【解決手段】  ペットの介護時における尿の処理と、本能であるマーキングによる汚染を阻止することを特徴とする、紙製の腹部だけを覆う紙おむつを、専用サスペンダーを使用して固定する、デザイン性の高いことを特徴としたペット用紙おむつとおむつ用サスペンダーである。【選択図】図１
2007330246.tif 000002
【特許請求の範囲】
【請求項１】
ペットの介護時における尿の処理と、本能であるマーキングによる汚染を阻止することを特徴とする、紙製の、腹部だけを覆う紙おむつを専用サスペンダーを使用して固定する、デザイン性の高いことを特徴としたペット用紙おむつとおむつ用サスペンダー。
【発明の詳細な説明】
【技術分野】
【０００１】  本発明は、室内や戸外でのペットのマーキング行為及び、介護時の尿の処理のためのペット用紙おむつとおむつ用サスペンダーに関するものである。
【背景技術】
【０００２】  ペットを飼うとき、本能のマーキング行為に悩まされる。
最近は、室内で飼う家庭も増え、家族として旅行や友人宅などに連れて行くことも多い。また、公園などは砂場や植木などにペットの放尿の被害が出ている。
飼い主は室内では部屋を汚され、外ではペットのマーキングに気苦労をしている。
従来のペット用おむつは下半身全体を覆うもので、尻尾を穴に通して使用するが、尻尾を触られるのを嫌がるペットは凶暴になり、着脱が危険で面倒だった。
しかも、高価で日常使用は不経済であった。
従来のマナーベルトは、布製の腹巻風のベルトにシーツをはさんで使用するが、ずれて尿がもれてしまうことが多かった。
だから、ひんぱんに洗濯をしなければならず、洗い換えも必要だった。
また、大型ペットはおむつやマナーベルトをすると関取のようで体裁が悪かった。
そこで、介護時及び、マーキング等の排尿の際のペットと飼い主の快適な生活、履いたまま外出できるデザイン性、社会的なマナーの向上の一環として、このおむつを開発した。
【発明の開示】
【発明が解決しようとする課題】
【０００３】    そのために、次のような問題点があった。
（イ）ペットのマーキング行為による部屋、公共の場所などの汚染が日常的におこること。
（ロ）それによる飼い主の心理的負担が大きいこと。
（ハ）従来のおむつは着脱が容易にできなかったこと。
（ニ）高価なのに、デザイン性がなく体裁が悪いこと。
（ホ）下半身全体を覆うので、蒸れやすいこと。
（ヘ）布製のものは、洗濯や洗い換えが必要なこと。
（ト）ずれやすく、もれやすいこと。
本発明はこれらの問題点を解決しようとするものである。
【課題を解決するための手段】
【０００４】  ペットの介護時における尿の処理と、本能であるマーキングによる汚染を阻止することを特徴とする、紙製の、腹部だけを覆う紙おむつを、専用サスペンダーを使用して固定する、デザイン性の高いことを特徴としたペット用紙おむつとおむつ用サスペンダーである。
【発明の効果】
【０００５】  腹部だけの大きさのおむつをサスペンダーで固定することにより、コストが極端に軽減できる為、経済的で常時利用しやすくなる。
コンパクトで使い捨てなので、かさばらず持ち運びしやすい。
腹部だけのおむつなので蒸れにくく、ペットに優しい。
嫌がるペットへの着脱が容易である。
サスペンダーで調節できるので、四足動物であれば、ほとんど利用可能である。
また、ペット同伴の外出の際、マーキング等で迷惑をかけないことにより、飼い主の精神的負担や周囲の不快感や不安感を軽減する。
サスペンダーはデザイン性の高いものを使用するため、見た目におむつだという感じが無く大型ペットに使用しても可愛い。
【発明を実施するための最良の形態】
【０００６】  以下、本発明の実施の形態について説明する。
（イ）紙おむつ本体（１）はトップシート（２）吸水シート（３）防水シート（４）から成り、身体に沿うように両側にゴムシャーリング（５）をほどこす。
（ロ）トップシート（２）がわの左端・右端に滑り止め用のゴム引き加工（６）をほどこす。
これはクリップを外れにくくするのと、おむつが身体からずれにくくするためである。
（ハ）サスペンダー本体（７）は平ゴム（８）クリップ（９）から成り、中央の交わったところにマジックテープ凹部（登録商標）を付ける。平ゴムは調節ができるようにアジャスター（１１）を付けている。
（ニ）布製マスコット本体（１２）の裏にマジックテープ凸部（１３）を付ける。布製マスコットは、随時いろいろな種類を考案していく。
（ホ）おむつを装着した後、マジックテープで布製マスコット（１２）を背中に取り付ける。
本発明は以上の構成よりなっている。
本発明を使用するときは、図１のように、ペットの腹部へ片方にサスペンダーのクリップ（９）を付けた紙おむつ本体（１）をあて、サスペンダー本体（７）を背部からまわし、もう片方の紙おむつの端にクリップ（９）で止めて装着する。
仕上げにマジックテープ部分（１０）に布製マスコット本体（１２）を付ければ装着完了である。
なお、マスコットは介護時などは外してもよい。
【図面の簡単な説明】
【０００７】
【図１】本発明の斜視図
【図２】本発明の各部斜視図
【図３】本発明の各部斜視図
【符号の説明】
【０００８】  １  紙おむつ本体
２  トップシート
３  吸水シート
４  防水シート
５  ゴムシャーリング
６  ゴム引き加工
７  サスペンダー本体
８  平ゴム
９  プラスチック製クリップ
１０  マジックテープ凹部（登録商標）
１１  アジャスター
１２  布製マスコット
１３  マジックテープ凸部
【図１】
2007330246.tif 000003
【図２】
2007330246.tif 000004
【図３】
2007330246.tif 000005
(57)【要約】  【課題】  長尺画像の接続部分の確認作業の操作性を向上する。  【解決手段】  形成されたの長尺画像の重なり部分を拡大処理する画像処理7と、拡大処理された重なり部分を表示する制御パネル10とを有する。【選択図】      図１
2007330278.tif 000002
【特許請求の範囲】
【請求項１】
複数の撮影領域の画像を重ねて長尺画像を形成するＸ線撮影装置において、
前記形成された長尺画像の重なり部分を拡大表示する拡大表示手段を備えたことを特徴とするＸ線撮影装置。
【発明の詳細な説明】
【技術分野】
【０００１】
本発明は、たとえば病院内に設置されたX線撮影装置に係り、複数毎の画像を接続して作成した長尺画像の接続時の位置ズレを判定しユーザーの補正操作の操作支援技術に関する。
【背景技術】
【０００２】
長尺画像とは被検者の複数の連続した部位をX線装置により撮影し、撮影した複数枚の画像を接続し作成するものである。その際画像の接続部分に被検者の体動などの様々な要因によりズレが発生することがある。従来の技術は長尺画像を作成したユーザーは長尺画像を目視によりモニタ上で接続部分のズレを点検して、フィルムなどにプリントアウトしていた。
【特許文献１】特開2005-46444号公報
【発明の開示】
【発明が解決しようとする課題】
【０００３】
しかし、ユーザが長尺画像の接続部分のズレを確認できるのはフィルムに出力した後であり、ズレの再度の補正などの二度手間となるおそれがあった。
本発明の目的は、長尺画像の接続部分の確認作業の操作性を向上したX線撮影装置を提供することにある。
【課題を解決するための手段】
【０００４】
上記目的は、複数の撮影領域の画像を重ねて長尺画像を形成するX線撮影装置において、前記形成された長尺画像の重なり部分を拡大表示する拡大表示手段を備えたことを特徴とするX線撮影装置によって達成される。
【発明の効果】
【０００５】
本発明によれば、長尺画像の接続部分の確認作業の操作性を向上できる。
【発明を実施するための最良の形態】
【０００６】
図1に本実施形態の概略図を示す。1は発生器であり、2の管球に電力を送り、X線を発生する。管球は支持器3に支えられている。発生したX線は被検者4を透過し、FPD5に投影像として収集する。FPD5では収集した画像を画像収集装置6に送り、画像処理装置7にて診断能に優れた画像に変換し、画像保存装置8へ記録する。また、これらの制御を行う制御器9が有り、制御器9には術者の操作を行うための制御パネル10を設置する。制御パネル10は撮影前のオーダーの選択、および画像収集後の画像表示を行うこともできる。
【０００７】
図2に制御パネルの概略図を示す。ここで初めに撮影オーダー選択画面を表示する。患者情報11を入力した後ここで長尺撮影オーダー12を選択する。接続することを踏まえて、撮影された上部・下部画像の差異を少なく画像化できる撮影条件を備えた長尺撮影のオーダーが入り、撮影に移行する。
【０００８】
図3に撮影方法の模式図を示す。FPD5およびX線照射範囲13を上部撮影部位13−1にあわせて撮影を行い、その後管球2の位置を変えずにX線照射範囲13のみを変え、FPD5を下部撮影部位13−2に移動して下部撮影部位13−2を撮影して撮影を終了する。
【０００９】
図4に長尺撮影の接続模式図を示す。長尺撮影によって得られた上部画像14と下部画像15を接続アルゴリズムによって接続して長尺画像16を作成する。図では接続時にずれが生じた場合を例として示している。
【００１０】
図5に画像の接続ラインの検出方法を示す。上部の撮影から下部の撮影に移る際FPDを上から下へ移動させる。そのFPDの移動量16−1を検出することで、作成した長尺画像16の上端からどのくらいの距離で下部画像が接続されているか算出することができる。
【００１１】
図6に接続部の画素値の走査模式図を示す。FPDの移動量より算出した接続ラインの上下を接続ラインと平行に画素値17について走査する。走査によって読み取った画素値１７ はマトリクス状にプロファイルを作成する。
【００１２】
図7に画素値の比較方法を示す。マトリクス状に並べた画素値のマトリクスプロファイル18を、走査方向と垂直に上下の値を比べる。画像にズレがある場合、上下の値に大きな変化が見られる。
Ｘ11−Ｘ12＝Ｘα                                 ・・・  (1)
Ｘ21−Ｘ22＝Ｘβ                                 ・・・  (2)
Ｘ31−Ｘ32＝Ｘγ                                 ・・・  (3)
|Ｘα|, |Ｘβ|, |Ｘγ| 》０またはＹ              ・・・  (4)
【００１３】
式1〜3は接続ラインをはさんで、上下の画素値の差分を取っている。式4は式1〜3で算出した差分の絶対値、つまり上下の画素値の差異を表している。少なくともこれら|Xα|, |Xβ|, |Xγ|が0以上であり、かつ任意に設定した値Yより大きな値を取ると、作成した長尺画像にズレがあるといえる。また判定基準であるYの大きさを変えることで、ズレの許容範囲も調節することができる。
【００１４】
図8に画像の補正方法を示す。ズレを検出した場合、ズレ拡大画像19を表示して見やすい状態でユーザーに提供し、上部または下部のみの画像の位置を微調整できる十字キー20を表示する。ユーザーは拡大された画像を確認しながら十字キー20を操作することで、ズレの補正をすることができる。
【図面の簡単な説明】
【００１５】
【図１】本実施例の概略図。
【図２】オーダー選択画面で、長尺撮影を行うためのオーダーを選択する図。
【図３】長尺用画像の上部・下部の撮影を行う方法を示した模式図。
【図４】撮影した上部・下部の撮影画像を接続して、長尺画像を作成する模式図。
【図５】作成した長尺画像から、上部・下部画像の接続ラインを検出する模式図。
【図６】検出した接続ライン前後の画素値を走査し、画素値プロファイルを作成する模式図。
【図７】作成した画素値プロファイルを用いて画素値の比較を行い、長尺画像のずれを検出する模式図。
【図８】長尺画像にズレが検出された場合、ユーザーにわかりやすい形で表示を行い、補正援助を行う模式図。
【符号の説明】
【００１６】
１  発生器、２  管球、３  支持器、４  被検者、５  FPD、６  画像収集装置、７  画像処理装置、８  画像保存装置、９  制御器、１０  制御パネル、１１  患者情報、１２  長尺撮影オーダー、１３   X線照射範囲、１３−１  上部撮影X線照射範囲、１３−２  下部撮影X線照射範囲、１４  上部撮影画像、１５  下部撮影画像、１６  長尺画像、１６−１  FPDの移動量、１７  画素値、１８  マトリクスプロファイル、１９  ズレ拡大画像、２０  十字キー
【図１】
2007330278.tif 000003
【図２】
2007330278.tif 000004
【図３】
2007330278.tif 000005
【図４】
2007330278.tif 000006
【図５】
2007330278.tif 000007
【図６】
2007330278.tif 000008
【図７】
2007330278.tif 000009
【図８】
2007330278.tif 000010
(57)【要約】【課題】歳老いて参りますと、諸病が発生し、それに対応する用具の内、磁石の磁力線を利用した用具が、いろ々な形態をし商品化され、それなりの効果をもたらしています。併し血液の流れの、重要箇所の後頭部に対応する効果的且つ合理的の装着方法が無く、ここに新装着方法を示し、願わくば、脳梗塞の予防に繋がればと思考します。【解決手段】多数の小粒磁石の磁力線を、両耳経由で顎に掛け安定した、磁石・磁力線の効果を確実にした。【選択図】図３
2007330787.tif 000002
【特許請求の範囲】
後頭部位へ磁石等治療効果のある、小粒部材を、軟質樹脂材に適当間隔に納める事と、収納数が症状に応じて、増減可能な、収納板の両端からの吊りゴム紐を、両耳に掛け、更に顎下で受け、諸種の方法で結び、毛髪上を上下左右に定着しうる、治療用具
【発明の詳細な説明】
【技術分野】
【０００１】本発明は、後頭部位の病変箇所の治療に、磁石・磁力線等にて対応する案。
【背景技術】
【０００２】本案に関しては、背景技術と言う物が無く、通常磁石を、接着材にて、身体の凝った部分に貼り又は、腹巻内に装置され、商品化されて居ります。
【発明の開示】
【発明が解決しようとする課題】
【０００３】本発明の狙いは、筋肉の凝り治療より、後頭部位に流れる、血液・諸動作を指示する神経の疲労に、磁力線を与えるのが主な目的であります。
年令を加えて参りますと、後頭部にも異状が発生し、歩行のふらつき、頭痛、後頭部の不快感の発生し、日常生活に苦痛を伴います。之れに医療機関え参りましても、長期薬を飲み続けなければ成りません。只之れに磁石で対応するのに、首などに巻つける方法もありますが、磁石等位置が定まらず、又医学上禁止される懸念が有ります。
【課題を解決するための手段】
【０００４】本発明は後頭部の毛髪帯に設置される為、毛肌と本用具との間隔が出来、その隙間を磁石数を増やしカバーする、又歳老いて参りますと体力差が大きくなり、それに見合った、数に増減出来ように、成って居ります。。
本用具にわ暑気の際の通気穴と、両端に細ゴム紐の取り付け穴が有り、コム細紐の全長は約８０センチあり、、先ず取り付け穴を通して、空気穴を通し、反対の取り付け穴を通し、先ず本用具の磁石等の露出面を後頭部に当て、左右両紐を先ず両紐をそれぞれ両耳に掛け、更に顎下で、顔の肌面を圧迫しないよう紐を結び取り付けます。
頭髪は本用具の凹凸面に、ひっかかり本用具が上下左右に、安定した位置に定着し医療効果が出来ます。本用具の、後頭部えの装着外しは、３秒程度で行えます。
【発明の効果】
【０００５】磁石の磁力は、それなりの効果があって、色々の形態を持って商品化され販売されております。
併し身体で血液の流れの、重要点の後頭部に、即対応可能な、磁力を利用した手法わない。偶然多数、小粒を磁石配列試作し後頭部に当て、約２時間を経過しましたら、頭痛辛い不快感が、消失し、これは発明でなく発見であり、同じ悩みの方に知って頂きたく、公知の手段の入口として、出願しました。
本発明は、多数磁石装置板より耳に掛かる伸縮紐のラインがと後頭部の傾斜の毛髪が下方に向かつて生えて居るので、安定定着し発明の効果として現れる。
【発明の実施するため最良の形態】
【０００６】以下本発明の実施の形態を図１〜図３に基づいて説明する。
図において、、図１は全体の平面図にして、軟質樹脂板Ａ面１と、Ｂ面２が有って、１の板には、半円球形の小粒磁石径３、より小さい穴４、が多数あり、磁石３の円の一部が露出する。軟質樹脂板１と２は外形は同じく、外形縁はヒーターシールされて袋状になり、更に図に示すごとく、横線が磁石３、定着のためと、通気穴５を設ける為ヒーターシールされる。軟質樹脂板Ａ面１にわ、磁石３出し・入れ用に、上下に切断され、後粘着テープを貼って閉じる。磁石３の移しわ、軽く抵抗を受ける程度に幅を設定する。
次ぎに伸縮紐は穴６・７を通し人体肌に優しく、耳に掛け顎下に結びます。
【図面の簡単な説明】
【０００７】
【図１】本治療具のＡ面１の平面図
【図２】本治療具のＢ面２の平面図
【図３】本治療具を着装した横面図
【符号の説明】
１、軟質樹脂板Ａ面１
２、軟質樹脂板Ｂ面２
３、小粒磁石
４、磁石片面露出穴
５、通気穴
６、伸縮紐通し穴左右２か所
７、伸縮紐    １本全長８０センチ
８、磁石出し入れ口
９、全線ヒーターシール
【図１】
2007330787.tif 000003
【図２】
2007330787.tif 000004
【図３】
2007330787.tif 000005